(57)【要約】【課題】  コンピュータ端末がコンピュータウィルスに感染した場合、他のコンピュータ端末への感染を防ぐ為、ネットワークから外す必要があるので、他のコンピュータ端末でコンピュータウィルススキャン及びパターンファイルをダウンロードし、外部記憶媒体に格納し、ウィルスに感染したコンピュータ端末に適用していた。  コンピュータウィルススキャンソフト及びパターンファイルのダウンロード及び外部記憶媒体を準備する必要があり、コンピュータウィルスへの対策に時間がかかっていた。【解決手段】  携帯電話に最新のコンピュータウィルススキャンソフト及びパターンファイルをあらかじめダウンロードしておき、携帯電話とコンピュータ端末を接続することにより、コンピュータウィルススキャンソフト及びパターンファイルをコンピュータ端末に提供する。【選択図】図１
2008293150.tif 000002
【特許請求の範囲】
【請求項１】
コンピュータ端末と、ネットワークに接続された携帯電話と、最新のウィルススキャンソフト及びパターンファイルを提供するサイトを管理するサーバと、携帯電話とサーバを結合するネットワークからなり、携帯電話に予め最新のコンピュータウィルススキャンソフト及びパターンファイルをダウンロードしておき、コンピュータウィルスに感染したコンピュータ端末と携帯電話を接続してウィルススキャンソフト及びパターンファイルを提供し、該ソフト、ファイルをもってネットワークに接続することなくコンピュータ端末のコンピュータウィルス駆除を可能とすることを特徴とするシステム。
【発明の詳細な説明】
【技術分野】
【０００１】
本発明はWebサイト上のコンピュータウィルススキャン及びパターンファイルの最新版にてコンピュータ端末のウィルスの駆除を可能とするシステムに関する。
【背景技術】
【０００２】
従来のコンピュータ端末のコンピュータウィルス対策は、他のコンピュータ端末へのコンピュータウィルス感染を防ぐ為、ネットワークから隔離した状態で行う必要があった。
【０００３】
このため、コンピュータウィルス対策に必要なコンピュータウィルススキャンソフトやパターンファイルを他のコンピュータ端末でダウンロードし、コンパクトディスクやフロッピー（登録商標）ディスク等の外部記憶媒体に格納し、コンピュータウィルスに感染したコンピュータ端末に適用していた。
【０００４】
【特許文献１】特開平１１−８５５０３号公報
【発明の開示】
【発明が解決しようとする課題】
【０００５】
従来は、外部記憶媒体の準備、及び、コンピュータウィルススキャンソフトやパターンファイルをダウンロードする必要があるため、コンピュータウィルスの駆除に時間がかかるという問題があった。
【課題を解決するための手段】
【０００６】
本願発明は、携帯電話にあらかじめ最新のコンピュータウィルススキャンソフトやパターンファイルをダウンロードしておき、ウィルス感染したコンピュータ端末と携帯電話を接続することで、ネットワークに接続することなくコンピュータウィルススキャンソフトとパターンファイルを提供する構成とした。
【発明の効果】
【０００７】
本願発明によれば、携帯電話にあらかじめ最新のコンピュータウィルススキャンソフトやパターンファイルをダウンロードしておくことにより、コンピュータウィルスに感染した後でコンピュータウィルススキャンソフトやパターンファイルをダウンロードする必要はない。また、携帯電話を使用することで、外部記憶媒体を用意する必要がない。これらのことにより、コンピュータウィルス感染後の対策時間を大幅に短縮できる。また、記憶媒体を準備する必要がないため、コスト削減も可能となる。
【発明を実施するための最良の形態】
【０００８】
以下、本発明を実施例に基づいて説明する。
【実施例１】
【０００９】
図１は本システムの一例を示す全体構成図である。同図において、本システムは、インターネットやイントラネットなどのネットワーク２００、コンピュータウィルススキャンソフト及びパターンファイルを提供するWebコンテンツを提供するサーバ３００、コンピュータウィルススキャンソフト及びパターンファイルをダウンロードする携帯電話１、コンピュータ端末１００からなる構成される。
携帯電話機１は、図２の画面上に表示されるウィルススキャンソフトダウンロード元のアドレスを登録するアドレス登録部１０１、パターンファイルのダウンロード元のアドレスを登録するアドレス登録部１０２、ウィルススキャンソフト及びパターンファイルが更新された際、自動でダウンロードするかどうか設定するチェックボックス１０３、通知メールを受信するメールアドレス登録部１０４、また、ウィルススキャンソフトを即時ダウンロードできるボタン１０５及びパターンファイルを即時ダウンロードできるボタン１０６を備えている。また、図３に示す如く、これらの設定を登録するボタン１０７、及びキャンセルするボタン１０８を備えている。
【００１０】
また、ウィルススキャンソフトのダウンロード実施時刻、及びそのバージョン、実行結果の参照部１０９及びパターンファイルのダウンロード実施時刻、及びそのバージョン、実行結果の参照部１１０を表示する機能を備えている。
【００１１】
履歴確認時に最新のウィルススキャンソフト及びパターンファイルをダウンロードするため、今すぐ更新ボタン１１１と画面を閉じるボタン１１２を備えている。
【００１２】
サーバ３００はコンピュータウィルススキャンやパターンファイルを提供するＷｅｂサーバ及びメールサーバを立ち上げており、ウィルススキャンソフト及びパターンファイルの最新版が提供された際、登録されたメールの宛先に通知する。
【００１３】
携帯電話１では、ウィルススキャンソフト及びパターンファイルの最新版が提供された通知をメールにて受け、それを契機にダウンロードを開始する機能を備えている。
【００１４】
ダウンロードしたウィルススキャンソフト及びパターンファイルは図４に示すように携帯電話機１のパターンファイル、ウィルススキャンソフトを格納するメモリ１１，１２に格納される。携帯電話１には、メモリの他、図示していながウィルススキャンソフトを実行する処理部（ＣＰＵ）を備えている。
【００１５】
なお、携帯電話機１のＯＳについては独自ＯＳであるため、ウィルスに汚染されにくいことを前提としている。
【００１６】
図５はＵＳＢメモリのドライブ割り当て状態を示す図であり、フォルダと名称１１３を含んでいる。次に、携帯電話１でのウィルススキャンソフト及びパターンファイルのダウンロード設定手順を図６のフローチャートに沿って説明する。
【００１７】
はじめにステップＳ０１にて携帯電話機１からウィルススキャンソフトのダウンロード元のアドレス及びパターンファイルのダウンロード元のアドレスを登録しておく。
【００１８】
また、ステップＳ０２にてウィルススキャンソフトやパターンファイルの最新版が提供された際、携帯電話にメールで通知し、それを契機に自動でダウンロードするかどうかを登録しておく。
【００１９】
これにより、最新のウィルススキャンソフト及びパターンファイルが提供されると自動的に携帯電話にダウンロードされることになる。
【００２０】
次にコンピュータウィルスに感染したコンピュータ端末のウィルス駆除方法について、作業者の対応を図７のフローチャートに沿って説明する。
【００２１】
ステップＳ０３にてコンピュータ端末がウィルスに感染したか判断し、感染した場合、ステップＳ０４にて直ちにコンピュータ端末１００をネットワークから外す。次に、ステップＳ０５にてコンピュータ端末１００とコンピュータウィルススキャン及びパターンファイルをダウンロードしておいた携帯電話機１をＵＳＢポートに接続（図８のＳ１２参照）し、携帯電話機をＵＳＢメモリとしてドライブの割り当てを行う。
【００２２】
次に、ステップＳ０６にてエクスプローラを開き、ＵＳＢメモリとして割り当てたドライブをダブルクリックする。ドライブ配下にあるコンピュータウィルススキャンソフトのｅｘｅファイルをダブルクリックし、インストールを行う。同様に、ステップＳ０７にてドライブ配下にあるパターンファイルをコンピュータウィルススキャンソフトの指定ディレクトリ配下に格納する。
【００２３】
ステップＳ０８にて携帯電話機１のコンピュータウィルススキャンソフトを実行し、コンピュータウィルスの駆除を行う。
【００２４】
これらの仕組みにより、コンピュータウィルスに感染したＰＣ（コンピュータ端末１００）のコンピュータウィルスの駆除がネットワークに接続することなく、短時間で実行可能となる。
【００２５】
図８はＰＣと携帯電話機及び携帯電話機とウィルススキャンソフトパターンファイルダウンロードサイト間の処理ステップを示す図である。
【００２６】
ステップＳ０９にてウィルススキャンソフト及びパターンファイルのダウンロードサイトからウィルススキャンソフトやパターンファイルの新着を登録してある携帯電話のメール宛先に通知する。
【００２７】
ステップＳ１０にて携帯電話機よりウィルススキャンソフトまたはパターンファイルのダウンロードを要求し、ステップＳ１１にてウィルススキャンソフトまたはパターンファイルをダウンロードする。
【００２８】
コンピュータ端末（ＰＣ）がウィルスに感染した場合は、ステップＳ１２にてコンピュータ端末のＵＳＢポートに携帯電話機を接続する。
【００２９】
ステップＳ１３で携帯電話機からウィルススキャンソフトやパターンファイルをダウンロードし、ステップＳ１４にてウィルススキャンソフトやパターンファイルを実行し、コンピュータ端末のウィルス駆除を行う。
【図面の簡単な説明】
【００３０】
【図１】全体システム構成図
【図２】コンピュータウィルススキャンソフト及びパターンファイルのダウンロード画面を示す図
【図３】履歴画面を示す図
【図４】携帯電話のメモリにコンピュータウィルススキャンソフト及びパターンファイルが格納されたことを示す図
【図５】USBメモリのドライブ割り当てを示す図
【図６】ウィルススキャンソフト及びパターンファイルのダウンロード設定のフローチャート図
【図７】コンピュータウィルス駆除のフローチャート図
【図８】ＰＣと携帯電話及び携帯電話とウィルススキャンソフトパターンファイルダウンロードサイト間の処理ステップを示す図
【符号の説明】
【００３１】
１：  携帯電話
１００：  コンピュータ端末
２００：  ネットワーク（インターネットまたはイントラネット）
３００：  サーバ
【図１】
2008293150.tif 000003
【図２】
2008293150.tif 000004
【図３】
2008293150.tif 000005
【図４】
2008293150.tif 000006
【図５】
2008293150.tif 000007
【図６】
2008293150.tif 000008
【図７】
2008293150.tif 000009
【図８】
2008293150.tif 000010